(57)【要約】【課題】  交換ユニットの着脱作業を容易にすることができる遊技機を提供する。【解決手段】  係止部(96)及び保持部(72)が係止した状態で摺動する摺動距離を、係止部(96)と保持部(72)とが係止した状態で交換ユニット(2)を手前方向に引っ張った場合、係止突起(71)が係止溝(91)の側方の位置から、傾斜部(93)の側方の位置になった後、保持部(72)から係止部(96)が外れて、その結果、係止状態を解除する奥方向長さに形成し、保持片(94)及び保持部(72)の係止状態の係止体(82)の反付勢方向回転角度は、傾斜部(93)が係止突起(71)に当たって、係止体(82)が反付勢方向に回転移動した場合の反付勢方向回転角度の最大値よりも、大きくなるように形成していることを特徴とする。【選択図】    図１
2005245743.tif 000002
【特許請求の範囲】
【請求項１】
正面側に開口する正面開口部を有する筐体と、
前記筐体の内部に交換可能に配置される交換ユニットとを備えた遊技機において、
前記遊技機の正面側の前に前記遊技機の方を向いて位置している遊技者から見た場合の前記遊技機の奥から手前への方向を手前方向とし、かかる場合の前記遊技機の手前から奥への方向を奥方向と定義し、
前記筐体は、前記交換ユニットを固定するための筐体係止部を備え、
前記交換ユニットは、前記筐体係止部に係止される係止装置を備え、
前記筐体係止部は、前記筐体内方に突出する係止突起及び保持部を備え、
前記係止装置は、
上下方向に回転の中心軸を有する回転中心軸と、
前記交換ユニットの前記回転中心軸の回りに回転可能に軸支された係止体とを備え、
前記交換ユニットを前記筐体内部に取り付けた状態での前記係止体は、
前記回転中心軸よりも奥方向に位置して、前記筐体内面に臨んで前記係止突起に係止する係止溝と、
前記係止溝を前記係止突起に向かって付勢する付勢手段と、
前記係止体の前記係止溝の奥方向に位置して、奥方向に向かうにつれて前記筐体内面からの距離が次第に離れるように傾斜する傾斜部と、
前記係止体の前記回転中心軸の手前方向に位置して、前記筐体の内面方向に向かって突出し、前記筐体係止部の前記保持部に係止する保持片とを備え、
前記保持片は、前記係止体から延設される保持片本体と、前記保持片本体から奥方向に向かって延設されて前記保持部の前記筐体内面に臨む面に当接する係止部とを備え、
前記係止装置を前記筐体係止部に係止するとき、前記交換ユニットを、前記筐体の前記正面開口部の手前から奥方向へ向かって押し込むと、前記傾斜部が前記係止突起に当たって、前記係止体が反付勢方向に回転移動した後、前記係止溝の内部に前記係止突起が入り込んで係止し、
前記係止装置を前記筐体係止部から取り外すとき、前記係止体を反付勢方向に回転移動させ、前記保持片の前記係止部を前記保持部に係止させて、前記係止溝と前記係止突起との係止を解除し、
前記係止装置を前記筐体係止部から手前方向に引いて取り外すとき、前記係止突起が、前記係止溝の側方の位置から少なくとも前記傾斜部の側方に位置するまで、前記係止部及び前記保持部は、係止状態を維持するように形成され、
前記係止部及び前記保持部が係止した状態で摺動する摺動距離を、
前記係止部と前記保持部とが係止した状態で前記交換ユニットを手前方向に引っ張った場合、前記係止突起が前記係止溝の側方の位置から、前記傾斜部の側方の位置になった後、前記保持部から前記係止部が外れて、その結果、係止状態を解除する奥方向長さに形成し、
前記係止体の前記係止溝に、前記係止突起が係止した状態を、前記係止体の標準状態として定義し、
かかる前記係止体の標準状態から、前記係止体が反付勢方向に回転移動する回転移動の角度を反付勢方向回転角度として定義し、
前記保持片及び前記保持部の係止状態の前記係止体の前記反付勢方向回転角度は、前記傾斜部が前記係止突起に当たって、前記係止体が反付勢方向に回転移動した場合の反付勢方向回転角度の最大値よりも、大きくなるように形成していることを特徴とする遊技機。
【発明の詳細な説明】
【技術分野】
【０００１】
この発明は、交換ユニットの交換作業が容易な遊技機に関するものである。
【背景技術】
【０００２】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで遊技内容が異なる遊技機に交換するのが通例となっており、最近では、このサイクルが更に短くなる傾向にある。
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００３】
そこで、近年、遊技内容に直接、影響するリールユニット及びこのリールユニットの回転リールの回転駆動等を制御する主基板（主制御装置）を、前扉に固定して、前扉ごと一体に筐体から着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に筐体から着脱自在に形成して交換可能にする発明がなされている（例えば、特許文献１、図４参照。）。
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。
【０００４】
具体的には、スロットマシンの交換に際して、真に交換が必要な部材である遊技担当装置を特定し、かつ交換の効率化をも図った発明がなされている（例えば、特許文献２。）。
また、枠体等の構造用部材に前記リールユニット及び主基板（主制御装置）を設置した交換ユニットを、筐体内部に着脱自在に形成して、新旧の交換作業を容易にしたスロットマシンに関する技術がある（例えば、特許文献３。）。
そして、上述したような、遊技ホールでの新台入れ替えの際、遊技内容を変更するために遊技機全体を交換するのではなく、遊技内容を変更可能な交換ユニット等の部品だけを交換する、いわゆる分離型の遊技機において、交換ユニットを、この交換ユニットを収納する筐体の開口上部に固定する場合、いわゆるクリップを使用して両者を固定していた（例えば、特許文献４、図１〜図１２。）。
【特許文献１】特開平１０−５２５２５号公報（第１図、第３図、第４図）
【特許文献２】特開２００３−２４５１３号公報
【特許文献３】特開２００３−４７６８６号公報
【特許文献４】特開２００３−２３６０３８号公報（第１図から第１２図）
【発明の開示】
【発明が解決しようとする課題】
【０００５】
上述したように遊技内容を変更可能な交換ユニット等の部品だけを交換する、いわゆる分離型の遊技機においては、交換ユニットを、この交換ユニットを収納する箱状の筐体の開口上部に固定するためのクリップを使用していた。このクリップを使用した交換ユニットの取り付け作業や、取り外し作業を行う場合、交換ユニットを筐体の内部に収納した状態で、筐体の内部に手を挿入して、筐体内面に固定されているクリップを、交換ユニットに固定されているフックに引っかけて両者を固定し、或いはフックから外して両者を取り外さなければならなかった。通常、交換ユニットを収納した筐体内部には、リールユニットや、各種の制御装置等の部品が、多数、配置されているため、かかる筐体内部に手を挿入して、クリップをフックに引っかける等の固定作業や取り外し作業等の着脱作業を行うのは、大変手間がかかるという問題点があった。
【０００６】
そこで、請求項に記載された発明は、上記した従来の技術の有する問題点に鑑みてなされたものであり、その目的とするところは、次の点にある。
（請求項１）
すなわち、請求項１記載の発明は、上記した従来の技術の有する問題点に鑑みてなされたものであり、その目的とするところは、交換ユニットの着脱作業を容易にすることができる遊技機を提供しようとするものである。
【課題を解決するための手段】
【０００７】
（特徴点）
請求項に記載された発明は、上記した目的を達成するためになされたものであり、発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【０００８】
すなわち、正面側に開口する正面開口部(11)を有する筐体(1)と、前記筐体(1)の内部に交換可能に配置される交換ユニット(2)とを備えた遊技機(S)において、前記遊技機(S)の正面側の前に前記遊技機(S)の方を向いて位置している遊技者から見た場合の前記遊技機(S)の奥から手前への方向を手前方向とし、かかる場合の前記遊技機(S)の手前から奥への方向を奥方向と定義する。
そして、前記筐体(1)は、前記交換ユニット(2)を固定するための筐体係止部(70)を備え、前記交換ユニット(2)は、前記筐体係止部(70)に係止される係止装置(80)を備え、前記筐体係止部(70)は、前記筐体(1)内方に突出する係止突起(71)及び保持部(72)を備えている。
【０００９】
そして、前記係止装置(80)は、上下方向に回転の中心軸を有する回転中心軸(81)と、前記交換ユニット(2)の前記回転中心軸(81)の回りに回転可能に軸支された係止体(82)とを備えている。
そして、前記交換ユニット(2)を前記筐体(1)内部に取り付けた状態での前記係止体(82)は、前記回転中心軸(81)よりも奥方向に位置して、前記筐体(1)内面に臨んで前記係止突起(71)に係止する係止溝(91)と、前記係止溝(91)を前記係止突起(71)に向かって付勢する付勢手段(92)と、前記係止体(82)の前記係止溝(91)の奥方向に位置して、奥方向に向かうにつれて前記筐体(1)内面からの距離が次第に離れるように傾斜する傾斜部(93)と、前記係止体(82)の前記回転中心軸(81)の手前方向に位置して、前記筐体(1)の内面方向に向かって突出し、前記筐体係止部(70)の前記保持部(72)に係止する保持片(94)とを備えている。
【００１０】
そして、前記保持片(94)は、前記係止体(82)から延設される保持片本体(95)と、前記保持片本体(95)から奥方向に向かって延設されて前記保持部(72)の前記筐体(1)内面に臨む面に当接する係止部(96)とを備えている。
そして、前記係止装置(80)を前記筐体係止部(70)に係止するとき、前記交換ユニット(2)を、前記筐体(1)の前記正面開口部(11)の手前から奥方向へ向かって押し込むと、前記傾斜部(93)が前記係止突起(71)に当たって、前記係止体(82)が反付勢方向に回転移動した後、前記係止溝(91)の内部に前記係止突起(71)が入り込んで係止するように形成されている。
【００１１】
そして、前記係止装置(80)を前記筐体係止部(70)から取り外すとき、前記係止体(82)を反付勢方向に回転移動させ、前記保持片(94)の前記係止部(96)を前記保持部(72)に係止させて、前記係止溝(91)と前記係止突起(71)との係止を解除するように形成されている。
そして、前記係止装置(80)を前記筐体係止部(70)から手前方向に引いて取り外すとき、前記係止突起(71)が、前記係止溝(91)の側方の位置から少なくとも前記傾斜部(93)の側方に位置するまで、前記係止部(96)及び前記保持部(72)は、係止状態を維持するように形成されている。
そして、前記係止部(96)及び前記保持部(72)が係止した状態で摺動する摺動距離(L)を、前記係止部(96)と前記保持部(72)とが係止した状態で前記交換ユニット(2)を手前方向に引っ張った場合、前記係止突起(71)が前記係止溝(91)の側方の位置から、前記傾斜部(93)の側方の位置になった後、前記保持部(72)から前記係止部(96)が外れて、その結果、係止状態を解除する奥方向長さ(S)に形成している。
【００１２】
そして、前記係止体(82)の前記係止溝(91)に、前記係止突起(71)が係止した状態を、前記係止体(82)の標準状態として定義し、かかる前記係止体(82)の標準状態から、前記係止体(82)が反付勢方向に回転移動する回転移動の角度を反付勢方向回転角度として定義し、前記保持片(94)及び前記保持部(72)の係止状態の前記係止体(82)の前記反付勢方向回転角度（図３及び図４に示す角度Ｂ）は、前記傾斜部(93)が前記係止突起(71)に当たって、前記係止体(82)が反付勢方向に回転移動した場合の反付勢方向回転角度の最大値（図１に示す角度Ａ）よりも、大きくなるように形成していることを特徴とする。
また、ここで、「遊技機(10)」とは、具体的には、例えば、スロットマシンであるが、筐体(1)内部に交換可能な交換ユニット(2)を有するパチンコ機や、その他の遊技機を含むものである。
【００１３】
（作用）
本発明は、係止装置(80)を、筐体係止部(70)に係止する場合、すなわち、交換ユニット(2)を筐体(1)内部に収納する場合、交換ユニット(2)を筐体(1)の正面側に開口する正面開口部(11)の手前から奥方向に向かって押し込む。このように押し込むと、係止体(82)が筐体(1)内部を手前から奥方向に向かって移動する。そして、係止体(82)のかかる移動により、係止体(82)の傾斜部(93)が係止突起(71)に当たって、係止体(82)が反付勢方向に回転移動する。そして、さらに押し込むと、係止突起(71)が傾斜部(93)の位置から、係止溝(91)の位置となるように係止体(82)が移動し、係止突起(71)が係止溝(91)の内部に入り込んで、係止突起(71)及び係止溝(91)が係止する。これにより、係止装置(80)が筐体係止部(70)に係止されることとなって、交換ユニット(2)を筐体(1)内部に固定することができる。
【００１４】
そして、係止装置(80)を筐体係止部(70)に係止する際、傾斜部(93)が係止突起(71)に当たって、係止体(82)が反付勢方向に回転移動した場合の反付勢方向回転角度の最大値よりも、保持片(94)及び保持部(72)の係止状態の係止体(82)の反付勢方向回転角度の方が大きくなるように形成されている。かかる場合、交換ユニット(2)を筐体(1)内部に押し込むと、傾斜部(93)が係止突起(71)に当たって、係止体(82)が反付勢方向に回転移動して、係止体(82)の手前側が筐体(1)内面に近づくように回転する。その際、傾斜部(93)が係止突起(71)に当たって、係止体(82)が反付勢方向に回転移動した場合の反付勢方向回転角度の最大値は、保持片(94)及び保持部(72)の係止状態の係止体(82)の反付勢方向回転角度よりも小さくなる。このため、係止体(82)が反付勢方向に回転移動して、保持片(94)が保持部(72)に近づいても、保持片(94)及び保持部(72)が係止状態となるまでの反付勢方向の回転角度までは至ることはない。したがって、交換ユニット(2)を筐体(1)内部に押し込んで、係止装置(80)を筐体係止部(70)に係止する際、保持片(94)及び保持部(72)が係止状態となることはない。
【００１５】
これにより、交換ユニット(2)を筐体(1)内部に押し込むだけで、係止装置(80)を筐体係止部(70)に係止させることができ、交換ユニット(2)の取り付け作業を容易なものにすることができる。
一方、筐体(1)内部に固定された交換ユニット(2)を取り外すために、係止装置(80)を筐体係止部(70)から取り外す場合、交換作業者は、係止体(82)を反付勢方向に回転移動させる。そして、保持片(94)の係止部(96)を保持部(72)に係止させて、係止溝(91)と係止突起(71)との係止を解除させる。
そして、保持片(94)の係止部(96)を保持部(72)に係止させた状態で、交換ユニット(2)を筐体(1)内部から手前側に向かって引っ張ると、係止体(82)も筐体係止部(70)の位置から手前側に移動する。その際、保持片本体(95)から奥方向に向かって係止部(96)が延設されているため、この係止部(96)及び保持部(72)の両者は、所定の長さ（図８に示す摺動距離Ｌ）だけ、互いに係止した状態で摺動する。
【００１６】
そして、かかる係止部(96)及び保持部(72)が係止した状態で摺動する摺動距離(L)は、係止部(96)と保持部(72)とが係止した状態で交換ユニット(2)を手前方向に引っ張った場合、係止突起(71)が係止溝(91)の側方の位置から、傾斜部(93)の側方の位置へ移動した後、保持部(72)から係止部(96)が外れて、その結果、係止部(96)及び保持部(72)の係止状態を解除する奥方向長さ（図３及び図４に示す奥方向長さＳ）に形成されている。
すなわち、係止装置(80)を筐体係止部(70)から手前方向に引いて取り外すとき、係止突起(71)が、係止溝(91)の側方の位置から少なくとも傾斜部(93)の側方に位置するまで、係止部(96)及び保持部(72)は係止状態を維持する。
【００１７】
このため、係止体(82)が手前側に移動して、係止突起(71)が係止溝(91)の側方の位置から、傾斜部(93)の側方の位置になった後、保持部(72)から係止部(96)が外れる。保持部(72)から係止部(96)が外れることで、付勢手段(92)により係止体(82)は、付勢方向に回転する。その際、係止体(82)が移動して、係止突起(71)が、係止溝(91)の側方の位置から、少なくとも傾斜部(93)の側方の位置となっているため、係止突起(71)が、再び係止溝(91)の内部に入り込んで、係止突起(71)及び係止溝(91)が係止状態となることはなく、係止装置(80)及び筐体係止部(70)の係止状態を解除することができる。
したがって、交換ユニット(2)を手前側に引っ張って筐体(1)内部から取り外す場合、係止体(82)を反付勢方向に回転移動させて、保持片(94)を保持部(72)に係止させた後、交換作業者は、係止体(82)を触ることなく、交換ユニット(2)をそのまま、引っ張るだけで、係止装置(80)及び筐体係止部(70)の係止状態を解除して、交換ユニット(2)を筐体(1)内部から取り外すことができる。
【００１８】
本発明は、上述したように、交換ユニット(2)を筐体(1)内部に取り付ける場合には、交換ユニット(2)を筐体(1)内部に押し込むだけで、係止装置(80)を筐体係止部(70)に係止させることができる。また、交換ユニット(2)を筐体(1)内部から取り外す場合には、係止体(82)を反付勢方向に回転させて保持片(94)及び保持部(72)を係止状態にすると、その後は、交換ユニット(2)を、そのまま手前側に引っ張り出すことで、係止装置(80)及び筐体係止部(70)の係止状態の解除を維持することができ、交換ユニット(2)を簡単に取り外すことができる。
【発明の効果】
【００１９】
本発明は、以上のように構成されているので、以下に記載されるような効果を奏する。
（請求項１）
請求項１記載の発明によれば、次のような効果を奏する。
すなわち、請求項１記載の発明によれば、交換ユニットの着脱作業を容易にすることができる遊技機を提供することができる。
【発明を実施するための最良の形態】
【００２０】
（図面の説明）
図１乃至図１２は、本発明の実施の形態を示すものである。
図１から図４は、係止装置及び筐体係止部の横断面図であって、図１は係止装置を筐体内部に押し込んでいる状態の係止装置及び筐体係止部の横断面図、図２は係止溝及び係止突起が係止した状態の係止装置及び筐体係止部の横断面図、図３は保持片及び保持部が係止した状態の係止装置及び筐体係止部の横断面図、図４は係止部が保持部から外れる直前の状態の係止装置及び筐体係止部の横断面図、図５は係止体の奥の一部の外観斜視図、図６及び図７は係止装置を取り付けた状態の交換ユニットの一部の外観斜視図、図８は係止部及び保持部が係止した状態の外観斜視図、図９は係止部が保持部に係止しようとしている状態の概略平面図、図１０は筐体係止部の外観斜視図、図１１は前扉、交換ユニット及び筐体を分解した状態の遊技機の外観斜視図、図１２は前扉及び筐体を分解した状態の遊技機の外観斜視図をそれぞれ示すものである。
【００２１】
（遊技機S）
本実施の形態に係る遊技機Sは、具体的には、スロットマシンであって、図１１及び図１２に示すように、大きく分けて、正面側に開口する正面開口部11を有する筐体1、筐体1内部に着脱自在に設けられる交換ユニット2、筐体1の正面開口部11を開閉可能に塞ぐための前扉3とから構成されている。そして、筐体1の正面開口部11は、筐体1の上部に開口する開口上部13と、筐体1の下部に開口する開口下部14とを備えている。そして、前記前扉3は、筐体1の開口上部13を開閉可能に塞ぐための上扉30と、筐体1の開口下部14を開閉可能に塞ぐための下扉40とを備えている。そして、交換ユニット2の手前側には、上扉30が取り付けられてあり、この交換ユニット2及び上扉30により、扉一体型交換ユニットを形成している。すなわち、通常のいわゆる新台入れ替えの際には、交換ユニット2及び上扉30が一体となった扉一体型交換ユニット毎に入れ替えることができるものである。もちろん、新台入れ替えの際、上扉30は、そのままで、交換ユニット2だけを交換することもできる。
【００２２】
なお、ここで、「手前方向」とは、交換作業者（或いは遊技者）が、遊技機Sの正面側の前に遊技機Sの方を向いて位置しているような場合のかかる交換作業者（或いは遊技者）から見た場合の奥から手前への方向を意味する。したがって、手前方向とは、遊技機Sの奥から正面へ向かう方向を意味する。また、「奥方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、奥方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２３】
（筐体1）
上記筐体1は、全体形状が略箱状であって、底板15、左右の側板16、天板17及び裏板18からなる正面側に開口する筺体である。そして、この筐体1の高さ方向略中央部には、二つの側板16の間に水平方向に中板12が渡してある。そして、この中板12は、扉一体型交換ユニットを筐体1の奥側内部に案内するためのガイド73を左右側部に備えている。また、中板12は、金属板からなるものである。そして、底板15には、電源装置4と、ホッパーユニットとも呼ばれる払い出し装置5とが固定されている。
ここで、電源装置4は、開口下部14の底板15の上面に取り付けられており、遊技店側が種々の設定を行うためのスイッチ等の操作部を有している。
【００２４】
上記電源装置4及び払い出し装置5は、交換ユニット2の交換に際し、必ずしも交換する必要のないものであり、交換時には設置されたままにしておけるようになっているものである。
また、側板16の正面左側の下部には、前記下扉40を係合させ、回転自在に支持するための本体係合部62が、上下方向に間隔をおいて二つ設けられている。
さらに、正面から向かって右側の側板16には、下扉40を閉めた際、下扉40をロックするためのロック突出片69が、上下方向に間隔をおいて二つ設けられている。
前記筐体1の左右の側板16の内面には、交換ユニット2を固定するための筐体係止部70を備えている。
【００２５】
（ガイド73）
上記ガイド73は、交換ユニット2を筐体1の奥側内部に案内するためのものである。このガイド73は、中板12の左右に位置して、前後方向に形成された２本の帯板レール状のものであって、交換ユニット2の下部に配置されたローラーが回転移動可能なものである。
（扉一体型交換ユニット）
上記扉一体型交換ユニットは、遊技ホールにおける、いわゆる新台入れ替えの際、遊技内容を変更するために筐体1に対して交換可能に形成されているものである。この扉一体型交換ユニットは、交換ユニット2と、この交換ユニット2の手前側に開閉可能に取り付けられた上扉30とから形成されているものである。この交換ユニット2及び上扉30は、両者が一体となった状態で、筐体1から取り外し、また、取り付けることができるように形成されている。なお、交換ユニット2から上扉30を取り外せば、いわゆる新台入れ替えの際、上扉30はそのまま交換せずに、交換ユニット2だけを交換することができる。このように、交換ユニット2だけの取り付けや、取り外しも可能となるように形成されている。
【００２６】
（交換ユニット2）
上記扉一体型交換ユニットの交換ユニット2は、筐体係止部70及び係止装置80を介して、筐体1に着脱自在に取り付けられているものである。
前記交換ユニット2は、リールユニット20及び基板ユニット24を装着するための四角枠状の部材を組み合わせた枠21を備えている。すなわち、リールユニット20及び主制御装置25は、これらを装着するための枠21を介して、交換ユニット2に組み込まれているものである。交換ユニット2は、前記枠21の下部に固定されたリールユニット20と、枠21の上部奥側に固定された基板ユニット24とを備えている。
【００２７】
ここで、リールユニット20は、周囲に複数の図柄を表示した３個の回転リール23と、特に図示しないが、それぞれの回転リール23を回転させるための駆動モータを有している。また、前記基板ユニット24は、回転リール23の回転等を制御するための主制御装置25が透明樹脂からなる四角箱状の基板ケース26の内部に収納されているものである。
前記枠21の正面左側の縦枠には、前記上扉30を回転自在に係合するための枠体係合部60が、上下方向に間隔をおいて二つ設けられている。
さらに、枠21の正面右側の縦枠には、上扉30を閉めた際、上扉30をロックするためのロック突出片69が、上下方向に間隔をおいて二つ設けられている。このように、枠21の左側の枠体係合部60と、枠21の右側のロック突出片69とにより、上扉30が枠21に回動可能に固定され、両者を一体のものにすることができる。
【００２８】
そして、枠21の前面側の左右の縦枠の上部の内面側には、係止装置80が、図１に示す回転中心軸81を介して、回転可能に固定されている。また、係止装置80を取り付けた枠21の位置には、係止装置80から延びる保持片94を筐体1の側板16側に突出させるための表裏に開口する枠開口孔22（図６参照）が形成されている。この枠開口孔22を介して、係止装置80の保持片94が、筐体係止部70の保持部72に向かって突出している。
（上扉30）
上記上扉30は、筐体1の開口上部13の開閉を行うための扉であって、交換ユニット2の枠21に回転自在かつロック可能に形成されている板状の扉である。そして、上扉30は、略中央部に前記回転リール23の図柄を正面側から見ることができる図柄表示窓31を有し、周囲に飾り部33が設けられ、種々の表示を行うための表示装置32が設けられているものである。
【００２９】
さらに、上扉30の左側の裏面には、前記枠体係合部60に係合可能な上扉係合部61が上下方向に間隔をおいて二つ設けられている。そして、上扉30の右側の裏面には、扉ロック機構7が設けられている。そして、上扉30の裏面上部の左右には、種々の音声を出力するためのスピーカ49が設けられている。
（下扉40）
上記下扉40は、筐体1の開口下部14を開閉自在に塞ぐための、上扉30よりも幅厚の扉であり、筐体1の側板16に回転自在かつロック可能に形成されているものである。
前記下扉40の上部は、遊技機Sを作動させるための操作部41となっており、下扉40の上面は、閉扉時においては、上扉30よりも前側に突出するようになっている。また、下部には払い出されたメダルを溜めておくための箱状のメダル受け43が形成されており、下扉40の略中央部には、遊技内容その他の案内表示をするための前パネル50が嵌め込まれている。
【００３０】
前記操作部41としては、下扉40の上面右端にはメダル投入口42と、上面左側に設けられたベットスイッチと、正面側にはレバー式のスタートスイッチと、ボタン式のストップスイッチと、鍵穴44とが設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40の扉ロック機構7のロックが解除されるものである。
さらに、下扉40の裏面側には、前記メダル投入口42から投入された遊技メダルを誘導しながら遊技メダルの正偽を判断するためのメダルセレクター48が設けられている。
【００３１】
また、下扉40の左側の裏面には、前記本体係合部62と係合可能な下扉係合部63が上下方向に間隔をおいて二つ設けられている。そして、下扉40の右側の裏面には、筐体1のロック突出片69にロック可能なアンカー状のものを有する扉ロック機構7が設けられている。
（筐体係止部70）
上記筐体係止部70は、図１１及び図１２に示すように、筐体1の左右の側板内面にそれぞれ取り付けられているとともに、交換ユニット2の左右の係止装置80とそれぞれ固定するためのものである。
前記筐体係止部70は、図１〜４や、図１０に示すように、筐体1の側板16の内面に固定される横断面形状が略クランク状の筐体係止部本体74と、この筐体係止部本体74の奥側から筐体1の内方に突出する帯板状の係止突起71と、筐体係止部本体74の途中から筐体1内方に向かって突出する保持部72とを備えている。
【００３２】
前記保持部72は、筐体係止部本体74の筐体1に臨む面の途中から筐体1内方に向かって突出する保持部本体75と、この保持部本体75の先端から鉛直上方に向かって直角に折り曲げられた折り曲げ部76とを備えている。
なお、筐体係止部本体74は、その手前側付近を、ねじ等の締結部材により、筐体1の側板16の内面に固定されている。
（係止装置80）
上記係止装置80は、図１１に示すように、交換ユニット2の左右の縦方向の枠21の上部に固定されるとともに、前記筐体係止部70に係止可能に形成されているものである。
【００３３】
前記係止装置80は、図１〜図４、図６、図７及び図１１に示すように、交換ユニット2の枠21の前面側の左右の縦枠の高さ方向の途中の筐体1内方側の面に回転可能に固定された回転中心軸81と、交換ユニット2の回転中心軸81の回りに回転可能に軸支された係止体82とを備えている。
前記回転中心軸81は、上下方向に回転の中心軸を有するものである。そして、この回転中心軸81は、係止装置80を筐体係止部70に係止させた状態で、筐体1の側板16の内面に対して平行、且つ奥方向（又は手前方向）に対して直角の方向に軸方向が形成されている。
前記係止体82は、交換ユニット2を筐体1内部に取り付けた状態において、回転中心軸81よりも奥方向に位置して、筐体1の側板16の内面に臨んで係止突起71に係止する係止溝91と、この係止溝91を係止突起71に向かって付勢する付勢手段92と、係止体82の係止溝91の奥方向に位置して、奥方向に向かうにつれて筐体1内面からの距離が次第に離れるように傾斜する傾斜部93と、係止体82の回転中心軸81の手前方向に位置して、筐体1の内面方向に向かって突出し、筐体係止部70の保持部72に係止する保持片94とを備えている。
【００３４】
前記係止溝91は、係止溝91の開放側が、当該係止装置80を固定する筐体係止部70が取り付けられた側板16の内面に向かって臨むような位置に形成されている。
前記付勢手段92は、弾性金属からなるいわゆるばねであって、係止体82を回転中心軸81の回りに、係止溝91を係止突起71に向かう回転方向（図１の回転中心軸81の回りの反時計回転方向）に付勢するように形成されている。具体的には、この付勢手段92は、回転中心軸81の回りに配置されている渦巻きばねである。もちろん、かかる方向に付勢することができるものであれば、他のコイルや板ばね等の弾性体からなるものでもよい。
前記傾斜部93は、図１から図７に示すように、係止溝91の開放する奥方向の端縁から奥方向に向かって形成されているものである。そして、この傾斜部93は、奥方向に向かうにつれて当該係止体82を固定するための筐体係止部70を取り付けた側板16の内面からの距離が次第に離れるように傾斜する傾斜面からなるものである。
【００３５】
前記保持片94は、係止体82から側板16側へ向かって延設される保持片本体95と、この保持片本体95から奥方向に向かって延設されて、保持部72の折り曲げ部76の筐体1内面に臨む面に当接する係止部96とを備えている。
（係止部96及び保持部72が係止した状態で摺動する摺動距離Ｌ）
係止部96及び保持部72が係止した状態で摺動する摺動距離Ｌ（図３、図４及び図８参照）を、以下のように設定している。すなわち、かかる摺動距離Ｌは、図３及び図４に示すように、係止部96と保持部72とが係止した状態で交換ユニット2を手前方向に引っ張った場合、係止突起71が係止溝91の側方の位置から、傾斜部93の側方の位置へ移動した後、保持部72から係止部96が外れて、その結果、係止状態を解除する奥方向長さＳとなるように形成している。
【００３６】
具体的には、図８に示すように、係止部96と折り曲げ部76とが係止した状態から、係止部96と折り曲げ部76とが外れる直前までに、係止部96の係止体82側に臨む面の上を、保持部72の折り曲げ部76が、摺動する長さを摺動距離Ｌに設定している。そして、図３及び図４に示すように、係止部96と保持部72とが係止した状態で交換ユニット2を手前方向に引っ張った場合、係止突起71が係止溝91の側方の位置から、傾斜部93の側方の位置まで移動する距離Ｓが、かかる摺動距離Ｌと一致するように形成されている。なお、必ずしも摺動距離Ｌは、前記移動距離Ｓと一致する（Ｓ＝Ｌ）ことに限定されるものではなく、摺動距離Ｌが、前記移動距離Ｓ以上の長さとなる（Ｌ＞Ｓ又はＬ＝Ｓ）ように形成されてあればよいものである。
【００３７】
（反付勢方向回転角度Ａ及びＢ）
図２に示すように、係止体82の係止溝91に、係止突起71が係止した状態を、係止体82の標準状態（回転角度０度）として定義する。そして、かかる係止体82の標準状態から、係止体82が反付勢方向に回転移動する回転移動の角度を反付勢方向回転角度として定義する。
このように定義した場合において、図３に示すような保持片94及び保持部72の係止状態の係止体82の反付勢方向回転角度Ｂは、図１に示すような傾斜部93が係止突起71に当たって、係止体82が反付勢方向に回転移動した場合の反付勢方向回転角度の最大値Ａよりも、大きくなるように形成されている。
【００３８】
具体的には、図３に示すような保持片94及び保持部72の係止状態の際の係止体82の反付勢方向回転角度Ｂは、１５度に設定されている。そして、図１に示すような傾斜部93が係止突起71に当たって、係止体82が反付勢方向に回転移動した場合の反付勢方向回転角度の最大値Ａが、７度となるように形成されている。
これにより、交換ユニット2を挿入時にも、傾斜部93が係止突起71に押されて、係止体82は、反付勢方向に最大７度（反付勢方向回転角度Ａ）回転することになるが、このとき、保持片94及び保持部72が係止状態となるための回転角度１５度（反付勢方向回転角度Ｂ）よりも小さいため、保持片94が保持部72に保持されることはない。
【００３９】
そして、係止体82の手前側を交換作業者が指で筐体1の側板16側に押すことによって、係止体82の手前側に反付勢方向に開こうとする力が加わって、係止体82が反付勢方向回転角度Ｂまで回転した場合のみ、保持片94が保持部72に係合して、係止体82が反付勢方向に開いた状態を保持することができる。そして、交換ユニット2を手前側に引くと、係止体82は開いた状態を保持したまま、引き抜かれ、係止突起71が、係止溝91の側方の位置から外れたときに、保持部72及び保持片94の係止状態が解除されて、係止体82は付勢方向に回転するが、係止突起71は、既に係止溝91の側方の位置から外れているので、再度、係止突起71及び係止溝91が係合してロックされることはない。
【００４０】
（作用）
本実施の形態は、係止装置80を、筐体係止部70に係止する場合、すなわち、交換ユニット2を筐体1内部に収納する場合、交換ユニット2を筐体1の正面側に開口する正面開口部11の開口上部13の手前から奥方向に向かって押し込む。このように押し込むと、係止体82が筐体1の内部を手前から奥方向に向かって移動する。そして、係止体82のかかる奥への移動により、係止体82の奥側の傾斜部93が係止突起71に当たって、係止体82が回転中心軸81を回転の中心軸として反付勢方向に回転移動する。そして、さらに押し込むと、係止突起71が傾斜部93の位置から、係止溝91の位置へ移動して、係止突起71が係止溝91の内部に入り込んで、付勢手段92の付勢力により、係止体82が付勢方向に回転移動して係止突起71及び係止溝91が係止する。そして、付勢手段92により、係止体82は係止溝91を係止突起71へ押しつける方向に付勢力が絶えず加わっていることにより、係止装置80が筐体係止部70に係止されることとなって、交換ユニット2を筐体1内部に固定することができる。
【００４１】
そして、係止装置80を筐体係止部70に係止する際、傾斜部93が係止突起71に当たって、係止体82が反付勢方向に回転移動した場合の反付勢方向回転角度の最大値よりも、保持片94及び保持部72の係止状態の係止体82の反付勢方向回転角度の方が大きくなるように形成されている。かかる場合、交換ユニット2を筐体1内部に押し込むと、傾斜部93が係止突起71に当たって、係止体82が反付勢方向に回転移動して、係止体82の手前側が筐体1内面に近づくように回転する。その際、傾斜部93が係止突起71に当たって、係止体82が反付勢方向に回転移動した場合の反付勢方向回転角度の最大値は、保持片94及び保持部72の係止状態の係止体82の反付勢方向回転角度よりも小さくなる。このため、係止体82が反付勢方向に回転移動して、保持片94が保持部72に近づいても、保持片94及び保持部72が係止状態となるまでの反付勢方向の回転角度Ｂまでは、回転することはない。したがって、交換ユニット2を筐体1内部に押し込んで、係止装置80を筐体係止部70に係止する際、保持片94及び保持部72が係止状態となることはない。
【００４２】
これにより、交換ユニット2を筐体1内部に押し込むだけで、係止装置80を筐体係止部70に係止させることができ、交換ユニット2の取り付け作業を容易なものにすることができる。
一方、筐体1の内部に固定された交換ユニット2を取り外すために、係止装置80を筐体係止部70から取り外す場合、交換作業者は、指で係止体82の手前側を、筐体1の側板16側に向かって押し込むことで、係止体82を回転中心軸81の回りに反付勢方向に回転移動させることができる。その際、保持片94の先端の係止部96は、図９に示すように、保持部72の先端の折り曲げ部76に当接して押すことにより、保持部72の全体が弾性変形により撓むように形成されている。これにより、係止部96が、折り曲げ部76の筐体1側に臨む面側に入り込むことができる。そして、図３に示すように、保持片94の係止部96を保持部72の折り曲げ部76に係止させることができ、その結果として、係止溝91と係止突起71との係止を解除した状態を維持させることができる。すなわち、交換作業者は、１回だけ、係止体82の手前側を、筐体係止部70側へ押し込んで、保持片94及び保持部72を係止状態にすると、その後は、係止体82から手を離して、その状態を維持することができる。
【００４３】
そして、保持片94の係止部96を保持部72の折り曲げ部76に係止させた状態で、交換ユニット2を筐体1内部から手前側に向かって引っ張ると、係止体82も筐体係止部70に係止した位置から手前側に向かって移動する。その際、保持片本体95から奥方向に向かって係止部96が延設されているため、この係止部96の係止体82側に臨む面と、保持部72の折り曲げ部76の側板16に臨む面との両者は、図８に示すように、所定の長さＬだけ、互いに係止した状態で摺動する。
そして、かかる係止部96及び保持部72が係止した状態で摺動する摺動距離Ｌは、係止部96と保持部72とが係止した状態で交換ユニット2を手前方向に引っ張った場合、係止突起71が係止溝91の側方の位置から、傾斜部93の側方の位置へ移動した後、保持部72から係止部96が外れて、その結果、係止部96及び保持部72の係止状態を解除する奥方向長さＳとなるように形成されている。
【００４４】
すなわち、係止部96及び保持部72は、係止装置80を筐体係止部70に係止した位置（図３に示すような状態）から手前方向に引いて取り外すとき、係止突起71が、係止溝91の側方の位置から傾斜部93の側方に位置する状態（図４に示すような状態）まで、係止状態を維持する。
そして、係止体82が手前側に移動して、係止突起71が係止溝91の側方の位置から、傾斜部93の側方の位置になった後、保持部72から係止部96が外れる。保持部72から係止部96が外れことで、付勢手段92により係止体82は、付勢方向に回転する。その際、係止突起71は、係止溝91の側方の位置から、既に、傾斜部93の側方の位置となるように係止体82が移動しているため、係止突起71が、再び係止溝91の内部に入り込んで、係止突起71及び係止溝91が係止状態となることはなく、係止装置80及び筐体係止部70の係止状態を解除することができる。
【００４５】
したがって、交換ユニット2を手前側に引っ張って筐体1内部から取り外す場合、係止体82を反付勢方向に回転移動させて、傾斜部93を保持部72に係止させた後、交換作業者は、係止体82を触ることなく、交換ユニット2をそのまま、引っ張るだけで、係止装置80及び筐体係止部70の係止状態を解除して、交換ユニット2を筐体1内部から取り外すことができる。
上述したように、交換ユニット2を筐体1内部に取り付ける場合には、交換ユニット2を筐体1内部に押し込むだけで、係止装置80を筐体係止部70に係止させることができる。また、交換ユニット2を筐体1内部から取り外す場合には、係止体82を反付勢方向に回転させて傾斜部93及び保持部72を係止状態にすると、その後は、交換ユニット2を、そのまま手前側に引っ張り出すことで、係止装置80及び筐体係止部70の係止状態を解除することができ、交換ユニット2を簡単に取り外すことができる。これにより、交換ユニット2の着脱作業を容易なものにすることができる。
【００４６】
（遊技機Sの交換手順）
以上のように構成されたスロットマシンからなる遊技機Sについて、遊技内容変更のための台交換は、以下のように行うことができる。
本実施の形態に係る遊技機Sは、上扉30及び交換ユニット2からなる扉一体型交換ユニットを取り替えることができる。すなわち、下扉40を開けてから上扉30の扉ロック機構7のロックを解除して、上扉30を開く、そして、筐体1の左右内部の係止体82の手前側を反付勢方向に押して回転移動させ、保持部72及び保持片94を係止状態とする。これにより、係止突起71が、係止溝91から外れて、係止装置80及び筐体係止部70との係止状態は解除される。そして、開いていた上扉30を再度、筐体1の開口上部13側に向かって閉じる。これにより、扉ロック機構7が作動して上扉30は交換ユニット2の手前側に固定される。そして、上扉30及び交換ユニット2が一体となった扉一体型交換ユニットを手前側に移動させるだけで、上扉30及び交換ユニット2が一体となった扉一体型交換ユニットを筐体1から取り外すことが可能となる。
【００４７】
そして、新たに取り付ける交換ユニット2及び上扉30が一体となった扉一体型交換ユニットを、筐体1の開口上部13に押し込むだけで、扉一体型交換ユニットを筐体1内部に装着することができる。
もちろん、前扉3は、従来使用のものをそのまま使用して、交換ユニット2だけを交換するような場合には、扉一体型交換ユニットから前扉3を取り外した交換ユニット2だけを、上述した手順により、容易に交換することができる。
【図面の簡単な説明】
【００４８】
【図１】本発明の実施の形態であって、係止装置を筐体内部に押し込んでいる状態の係止装置及び筐体係止部を示す横断面図である。
【図２】本発明の実施の形態であって、係止溝及び係止突起が係止した状態の係止装置及び筐体係止部を示す横断面図である。
【図３】本発明の実施の形態であって、保持片及び保持部が係止した状態の係止装置及び筐体係止部を示す横断面図である。
【図４】本発明の実施の形態であって、係止部が保持部から外れる直前の状態の係止装置及び筐体係止部を示す横断面図である。
【図５】本発明の実施の形態であって、係止体の奥の一部を示す外観斜視図である。
【図６】本発明の実施の形態であって、係止装置を取り付けた状態の交換ユニットの一部を示す外観斜視図である。
【図７】本発明の実施の形態であって、係止装置を取り付けた状態の交換ユニットの一部を示す外観斜視図である。
【図８】本発明の実施の形態であって、係止部及び保持部が係止した状態を示す外観斜視図である。
【図９】本発明の実施の形態であって、係止部が保持部に係止しようとしている状態を示す概略平面図である。
【図１０】本発明の実施の形態であって、筐体係止部を示す外観斜視図である。
【図１１】本発明の実施の形態であって、前扉、交換ユニット及び筐体を分解した状態の遊技機を示す外観斜視図である。
【図１２】本発明の実施の形態であって、前扉及び筐体を分解した状態の遊技機を示す外観斜視図である。
【符号の説明】
【００４９】
S  遊技機                              1  筐体
2  交換ユニット                        3  前扉
4  電源装置                            5  払い出し装置
7  扉ロック機構                        11  正面開口部
12  中板                                13  開口上部
14  開口下部                            15  底板
16  側板                                17  天板
18  裏板                                20  リールユニット
21  枠                                  22  枠開口孔
23  回転リール                          24  基板ユニット
25  主制御装置                          26  基板ケース
30  上扉                                31  表示窓
32  表示装置                            33  飾り部
40  下扉                                41  操作部
42  メダル投入口                        43  メダル受け
44  鍵穴                                48  メダルセレクター
49  スピーカー                          50  前パネル
60  枠体係合部                          61  上扉係合部
62  本体係合部                          63  下扉係合部
69  ロック突出片                        70  筐体係止部
71  係止突起                            72  保持部
73  ガイド                              74  筐体係止部本体
75  保持部本体                          76  折り曲げ部
80  係止装置                            81  回転中心軸
82  係止体                              91  係止溝
92  付勢手段                            93  傾斜部
94  保持片                              95  保持片本体
96  係止部
【図１】
2005245743.tif 000003
【図２】
2005245743.tif 000004
【図３】
2005245743.tif 000005
【図４】
2005245743.tif 000006
【図５】
2005245743.tif 000007
【図６】
2005245743.tif 000008
【図７】
2005245743.tif 000009
【図８】
2005245743.tif 000010
【図９】
2005245743.tif 000011
【図１０】
2005245743.tif 000012
【図１１】
2005245743.tif 000013
【図１２】
2005245743.tif 000014